(57)【要約】【課題】床パン支持架台を土台に設置したときに、床パン支持架台の剛性向上を図ると共に、床パン支持架台の揺動防止を図ることができる床パン支持架台の設置構造を提供する。【解決手段】床パン１を載設する床パン支持架台２の架台本体４を建物躯体の土台３の間に位置させ、この架台本体４の両端から上方に向けて立設した立ち上がり片５の各上端から土台載置片６をそれぞれ外方に連出し、この土台載置片６を土台３の上面に載せることで土台３間に床パン支持架台２を架設した床パン支持架台の架設構造である。少なくとも立ち上がり片５の上部部位に斜め外上方に向いた傾斜部７を設ける。傾斜部７の外面と土台３の内面との隙間にスペーサ部材８を介装する。【選択図】　　　　図１
2004060235.tif 000002
【特許請求の範囲】
【請求項１】
床パンを載設する床パン支持架台の架台本体を建物躯体の土台の間に位置させ、この架台本体の両端から上方に向けて立設した立ち上がり片の各上端から土台載置片をそれぞれ外方に連出し、この土台載置片を土台の上面に載せることで土台間に床パン支持架台を架設した床パン支持架台の架設構造において、少なくとも立ち上がり片の上部部位に斜め外上方に向いた傾斜部を設け、この傾斜部の外面と土台の内面との隙間にスペーサ部材を介装したことを特徴とする床パン支持架台の架設構造。
【請求項２】
スペーサ部材を上部が尖る楔状部材で構成し、この楔状部材を傾斜部の外面と土台の内面との隙間に下方から押し込んで介装させたことを特徴とする請求項１に記載の床パン支持架台の架設構造。
【請求項３】
スペーサ部材をねじ具で構成し、立ち上がり片の傾斜部に内外に挿通するネジ孔を設け、このねじ具をネジ孔の内方から外方に螺進させて傾斜部の外面にねじ具の先端を突設すると共に、このねじ具の先端を土台の内面に当接したことを特徴とする請求項１に記載の床パン支持架台の架設構造。
【発明の詳細な説明】
【０００１】
【発明の属する技術分野】
本発明は、床パンを支持するための床パン支持架台の土台への設置構造に関する発明である。
【０００２】
【従来の技術】
従来から、浴室などの設備ユニットを建物の土台３に設置するにあたっては、土台３間に床パン支持架台２を並べて架設し、この床パン支持架台２の架台本体４上に床パン１を載設することで行われている（図２参照）。この床パン支持架台２には、たとえば図４に示すように、角パイプのような架台本体４の両側端部から垂直上方に向けて立ち上がり片５を立設し、この立ち上がり片５の上端部から外側方向に土台載置片６を連出して構成されたものがあった。そして、この床パン支持架台２を土台３間に架設するには、土台３間に架台本体４を位置させ、土台載置片６を土台３上に載設して行われている。
【０００３】
ところが、近年、建物には高齢者等に対応したバリアフリー設計が盛んに適用されており、このバリアフリー設計ではたとえば床パン１の設置高さを低く設定することが行われる。図４には床パン１の概略形状を示しているが、上記構造の床パン支持架台２にあって、床パン１の設置高さを低くするには、立ち上がり片５の上部部分に床パン１の縁部分の下部（図中Ａ部分）が当ったりする恐れがあることから、上記構成の床パン支持架台２にあっては近年のバリアフリー設計には充分に対応できるものではなくなっている。
【０００４】
なお、図４では建物基礎１１の上に土台３を載設して建物躯体を構成したものが例示されているが、この建物躯体は施工現場毎でその形状や寸法設定が異なるものであり、つまり立ち上がり片５と土台３との間には隙間が生じる場合がある。この隙間によっては、土台３の内方に土台載置片６が突出してしまって土台載置片６が上下に曲がる恐れがあるので、土台載置片６の幅端部には折曲片１５を設けて土台載置片６に剛性補強を施すことが行われる場合がある。そして、この折曲片１５も、バリアフリー設計で床パン１の設置高さを低くしたときには、床パン１が当ってしまうことから、バリアフリー設計に対して更なる障害になるものであった。
【０００５】
そこで、近年のバリアフリー設計にも対応できる床パン支持架台２が開発されるに至った。この新たな床パン支持架台２は、図５に示すように、折曲片１５を土台載置片６に形成するのを止めると共に、立ち上がり片５に斜め外上方に向く傾斜部７を有して構成したものである。そして、この床パン支持架台２を土台３に設置したときには、立ち上がり片５に傾斜部７を有したので、立ち上がり片５の上端を土台３に極力近接させて土台載置片６の土台３から内方への突出量を小さくし、加えて折曲片１５を無くしているので、床パン１を低く設定するといったバリアフリー設計にも対応できるようになっているのである。
【０００６】
しかしながら、この床パン支持架台２では、施工現場によっては、立ち上がり片５の下部と建物躯体との間に大きな隙間が生じてしまうことがあり、この隙間により、土台３に設置した床パン支持架台２が揺動するといった恐れが生じてしまったり、また、土台載置片６の土台３から内方への突出量を小さくしても、折曲片１５のない分土台載置片６の剛性の低下は避けられず、土台載置片６が折れ曲がったりする恐れが生じてしまうといった問題を有するものであった。
【０００７】
【発明が解決しようとする課題】
本発明は上記の点に鑑みてなされたものであり、バリアフリー設計に対応可能な床パン支持架台にあって、この床パン支持架台を土台に設置したときに、床パン支持架台の剛性低下を回避すると共に、床パン支持架台の揺動防止をも図り得る床パン支持架台の設置構造を提供することを課題とするものである。
【０００８】
【課題を解決するための手段】
上記課題を解決するために本発明に係る床パン支持架台の架設構造は、床パン１を載設する床パン支持架台２の架台本体４を建物躯体の土台３の間に位置させ、この架台本体４の両端から上方に向けて立設した立ち上がり片５の各上端から土台載置片６をそれぞれ外方に連出し、この土台載置片６を土台３の上面に載せることで土台３間に床パン支持架台２を架設した床パン支持架台の架設構造において、少なくとも立ち上がり片５の上部部位に斜め外上方に向いた傾斜部７を設け、この傾斜部７の外面と土台３の内面との隙間にスペーサ部材８を介装したことを特徴とする。これによると、立ち上がり片５に設けた傾斜部７によって立ち上がり片５の上端を極力土台３に近接できて、床パン１を低く設定するといったバリアフリー設計に対応可能にしているのであり、更に、傾斜部７の外面と土台３の内面との隙間に介装したスペーサ部材８によって、土台３に架設した床パン支持架台２の剛性強度を向上でき、床パン支持架台２の揺動防止を図ると共に、折曲片のない土台載置片６の折れ曲がり防止も図ることができるのである。
【０００９】
また、スペーサ部材８を上部が尖る楔状部材８ａで構成し、この楔状部材８ａを傾斜部７の外面と土台３の内面との隙間に下方から押し込んで介装したことも好ましい。傾斜部７の外面と土台３の内面との隙間の大きさは施工現場によって異なるものであるが、この隙間は上方に行く程狭くなる形状は一定であることから、大きさが多少異なる隙間にも楔状部材８ａの上下位置を変化させるだけで対応して介装でき、つまりスペーサ部材８の汎用性を向上させることができる。
【００１０】
また、スペーサ部材８をねじ具８ｂで構成し、立ち上がり片５の傾斜部７に内外に挿通するネジ孔９を設け、このねじ具８ｂをネジ孔９の内方から外方に螺進させて傾斜部７の外面にねじ具８ｂの先端を突設すると共に、このねじ具８ｂの先端を土台３の内面に当接したことも好ましい。これによると、傾斜部７の外面と土台３の内面との隙間の大きさは施工現場によって異なるものであるが、大きさが多少異なる隙間にも、一のねじ具８ｂの傾斜部７からの突出長さを変化させることで対応して介装でき、つまりスペーサ部材８の汎用性を向上させることができる。
【００１１】
【発明の実施の形態】
以下、本発明を添付図面に示す実施形態に基づいて説明する。
【００１２】
図１，２には本発明の実施の形態の例を示す。浴室などの設備ユニットを建物躯体に配設するにあたっては、まず、図２に示すように土台３間に床パン支持架台２を並べて架設し、次に、この床パン支持架台２上に設備ユニットの床パン１を載設することで行われる。
【００１３】
床パン支持架台２は、床パン１を載置させる架台本体４を有し、この架台本体４の両側端部から上方に向けて立ち上がり片５を立設し、この立ち上がり片５の各上端から土台載置片６をそれぞれ外方に連出して構成されている。架台本体４は、角パイプのようなバー材で構成されている。また、立ち上がり片５は、立ち上がり片５の上端部及び立ち上がり片５の下部に垂直に立設した垂直部１０をそれぞれ有すると共に、上記垂直部１０間に位置する立ち上がり片５の上部部位に斜め外上方に向いた傾斜部７を有した金属板片で構成されている。そして、この床パン支持架台２を土台３間に架設するには、この土台３の間に架台本体４を水平に位置させ、対向する土台３の上面にそれぞれ土台載置片６を載置し、釘等の固着具１６で土台載置片６を土台３の上面に打ち付けて固定することで行われる。なお、土台３等の建物躯体の構成は、施工現場によって異なるものであるが、本例では、建物基礎１１や建物基礎１８に立接した束柱１７上に土台３を配置して建物躯体を構成したものを例示している。
【００１４】
図１に示すように、床パン支持架台２を土台３間に架設したときには、立ち上がり片５が傾斜部７を有することによって、立ち上がり片５の上端を極力土台３に近接できる。これによると、バリアフリー設計に基いて低く設定された床パン１を架台本体４に載置したときにも、この床パン１の縁部分の下面が立ち上がり片５の上部近傍に干渉してしまうことを回避できるようになっている。また、この立ち上がり片５の傾斜部７によっては、立ち上がり片５の下部を土台３等の建物躯体から離して位置させることもできる。これによると、立ち上がり片５の下部が建物基礎１１，１８に干渉してしまうことを回避でき、つまり施工現場毎に異なる建物躯体にも床パン支持架台２を汎用して施工できるようになっている。
【００１５】
ここで、立ち上がり片５の下部が土台３等の建物躯体から離れて位置することは、すなわち立ち上がり片５の下部と建物躯体との間に隙間を形成することを意味し、この隙間にあっては、上述したように床パン支持架台２に各種建物躯体への汎用施工性を備えさせるものの、土台３に架設した床パン支持架台２に揺動の恐れを生じさせてしまうものでもある。また、土台載置片６の土台３から内方への突出量を小さくしても、折曲片１５のない分土台載置片６の剛性の低下は避けられず、土台載置片６は折れ曲がったりする恐れを有しているものである。しかして、これらの恐れを解消させるために、本発明の床パン支持架台２の土台３への架設構造では、立ち上がり片５の傾斜部７の外面と土台３の内面との隙間にスペーサ部材８を介装し、このスペーサ部材８を立ち上がり片５の傾斜部７と土台３との少なくとも一方に固定し、これにより、土台３に架設した床パン支持架台２の剛性強度を向上させている。以下、詳述する。
【００１６】
本例にあっては、このスペーサ部材８として、立ち上がり片５の傾斜部７の外面と土台３の内面とがなす角度と同様角度の角部１２を上部に形成した楔状部材８ａを用いている。そして、上述したように土台３間に床パン支持架台２を架設させた状態でできる立ち上がり片５の傾斜部７の外面と土台３の内面との隙間に、楔状部材８ａを下方から押し込み、立ち上がり片５の傾斜部７と土台３との間に楔状部材８ａを介装させ、立ち上がり片５の傾斜部７の内面から釘等の固着具１３を打入し、この固着具１３の先端を楔状部材８ａに貫通させて土台３の内面に打入することで、立ち上がり片５の傾斜部７と土台３と楔状部材８ａとの３者を固定させている。ここで、立ち上がり片５の傾斜部７の外面と土台３の内面との隙間は、上方に行く程狭くなる形状の隙間であり、この隙間に下方から楔状部材８ａを押し込むときは、楔状部材８ａの角部１２を上方に向けた状態で行われる。なお、本例では、釘等の固着具１３によって立ち上がり片５の傾斜部７と土台３とを間に楔状部材８ａを挟んで固定しているが、楔状部材８ａの傾斜部７への当接面及び土台３への当接面に接着剤を塗布し、この接着剤によって立ち上がり片５の傾斜部７、土台３、楔状部材８ａの３者を固着させてもよい。
【００１７】
なお、土台３等の建物躯体の寸法設定は施工現場によって異なり、それに伴って、傾斜部７の外面と土台３の内面との隙間の大きさも異なるようになるが、本例の楔状部材８ａで構成されるスペーサ部材８は、大きさが異なる隙間にも対応して介装させ得る調節手段を有している。この調節手段は、上記隙間の傾斜部７の外面と土台３の内面とがなす角と同様角度の角部１２を楔状部材８ａの上部に設けたことで構成されている。つまり、傾斜部７の外面と土台３の内面との隙間はその大きさが変化しても隙間の上端部位にできる傾斜部７の外面と土台３の内面とのなす角は一定のものであるから、大きさの異なる上記隙間にも、楔状部材８ａの角部１２を上方に向けつつ楔状部材８ａの上下位置を変化させるだけで対応して介装することができるのである。しかして、この楔状部材８ａで構成したスペーサ部材８は異なる施工現場にも汎用して用いることができるのである。
【００１８】
このように、本例の床パン支持架台の架設構造では、立ち上がり片５の上部部位に斜め外上方に向いた傾斜部７を設けているので、立ち上がり片５の上端を極力土台３に近接できて床パン１を低く設定するといったバリアフリー設計にも対応できると共に、立ち上がり片５の下部を土台３等の建物躯体から離間できて施工現場毎で異なる建物躯体にも汎用して施工できるようになっており、加えて、傾斜部７の外面と土台３の内面との隙間にスペーサ部材８を介装し、このスペーサ部材８を立ち上がり片５の傾斜部７と土台３とに固定しているので、土台３に架設した床パン支持架台２の剛性強度を向上でき、立ち上がり片５の下部と建物躯体との隙間によって生じる床パン支持架台２が揺動する恐れを解消させることができると共に、従来のように土台載置片６に折曲片１５を設けずとも土台載置片６が折れ曲がる恐れを解消できるようにされている。更に、楔状部材８ａで構成されたスペーサ部材８は、傾斜部７の外面と土台３の内面との隙間の大きさに関わらず確実に上記隙間に介在させることができるので、施工現場毎で異なる建物躯体にも汎用して用いることができるようにされている。
【００１９】
図３には本発明の実施の形態の他例を示す。この例は、スペーサ部材８の構成を変化させた例であり、先の実施の形態の例と同様部分には同一符号を付して説明を省き、先の実施の形態の例と異なる部分につき、詳述するものとする。
【００２０】
本例のスペーサ部材８はボルト等のねじ具８ｂで構成されている。このねじ具８ｂは、立ち上がり片５の傾斜部７に内外に穿設されたネジ孔９に内側から外側に向けて螺着され、立ち上がり片５の傾斜部７から外方に向けて突設されている。つまり、このねじ具８ｂは、その頭部８ｂ２を立ち上がり片５の傾斜部７の内方に位置させると共に、ネジ孔９に螺入した軸部８ｂ１の先端を立ち上がり片５の傾斜部７の外方に位置させるようにして、立ち上がり片５の傾斜部７のネジ孔９に螺着されている。また、このねじ具８ｂの軸部８ｂ１には、頭部８ｂ２と立ち上がり片５の傾斜部７の間に位置するようにナット１４が螺着されている。
【００２１】
そして、本例の床パン支持架台２の土台３への架設構造にあっても、先の実施の形態の例と同様に、土台３間に架台本体４を位置させて土台載置片６を土台３の上面に載置した後に、立ち上がり片５の傾斜部７の外面と土台３の内面との隙間にスペーサ部材８を介装させる。具体的には、土台載置片６を土台３の上面に載置して床パン支持架台２を土台３に架設した後に、スペーサ部材８であるねじ具８ｂをネジ孔９に螺進させ、ねじ具８ｂの軸部８ｂ１の先端を立ち上がり片５の傾斜部７の外方により突出させていき、このねじ具８ｂの軸部８ｂ１の先端を土台３の内面に当接させるのである。最後に、ねじ具８ｂに螺着されたナット１４を、立ち上がり片５の内面に当接させるようにねじ具８ｂの軸部８ｂ１に螺進させる。この立ち上がり片５に当接したナット１４によって、ネジ孔９に螺着したねじ具８ｂに廻り止めが施され、ねじ具８ｂが立ち上がり片５に強固に固定されるのである。
【００２２】
なお、土台３等の建物躯体の寸法設定は施工現場によって異なり、それに伴って、傾斜部７の外面と土台３の内面との隙間の大きさも異なるようになるが、本例のねじ具８ｂで構成したスペーサ部材８も、先の実施の形態の例同様、大きさが異なる隙間にも対応して介装させ得る調節手段を有している。本例の調節手段は、ねじ具８ｂが立ち上がり片５の傾斜部７に突没自在に設けられたことで構成されたものである。つまり、このねじ具８ｂは立ち上がり片５の傾斜部７から任意長さに外方に突出させることができるので、立ち上がり片５の傾斜部７の外面と土台３の内面との隙間の大きさ毎にねじ具８ｂの突出長さを変え、このねじ具８ｂの先端を土台３の内面に当接させることができるのである。しかして、このねじ具８ｂで構成したスペーサ部材８は異なる施工現場にも汎用的に用いることができるのである。このように、本例の床パン支持架台の架設構造でも、先の実施の形態の例同様の効果を得ることができる。更に言うと、本例のねじ具８ｂでスペーサ部材８を構成したものは、立ち上がり片５の傾斜部７の外面と土台３の内面との隙間がねじ具８ｂの長さ寸法では対応できないほどに大きい場合には、同様径で長さが異なる他種類のねじ具を既存のスペーサ部材８の代用品とすることができるから、上記場合の施工現場にも容易に対応できて施工性の格段の向上が図られているのである。
【００２３】
また、上記例において、ねじ具８ｂを木ネジで構成し、このねじ具８ｂの先端を土台３に打入するようにしてもよい。これによると、床パン支持架台２の土台３への架設をより強固に固定できるものである。
【００２４】
【発明の効果】
本発明の請求項１記載の発明にあっては、叙述したように、少なくとも立ち上がり片の上部部位に斜め外上方に向いた傾斜部を設けているので、立ち上がり片の上端を極力土台に近接できて床パンを低く設定するといったバリアフリー設計にも対応可能にでき、また、傾斜部の外面と土台の内面との隙間にスペーサ部材を介装したので、土台に架設した床パン支持架台の剛性強度を向上でき、床パン支持架台が揺動する恐れや土台載置片が折れ曲がる恐れを解消させることができるのである。
【００２５】
また、請求項２記載の発明にあっては、請求項１の効果に加えて、スペーサ部材を上部が尖る楔状部材で構成し、この楔状部材を傾斜部の外面と土台の内面との隙間に下方から押し込んで介装したので、施工現場毎によって大きさが異なる傾斜部の外面と土台の内面との隙間にも、一の楔状部材の上下位置を変化させることで、確実に楔状部材を介装させることができる。つまりスペーサ部材の汎用性を向上させることができるのである。
【００２６】
また、請求項３記載の発明にあっては、請求項１の効果に加えて、スペーサ部材をねじ具で構成し、立ち上がり片の傾斜部に内外に挿通するネジ孔を設け、このねじ具をネジ孔の内方から外方に螺進させて傾斜部の外面にねじ具の先端を突設すると共に、このねじ具の先端を土台の内面に当接したので、施工現場毎によって大きさが異なる傾斜部の外面と土台の内面との隙間にも、一のねじ具の傾斜部からの突出長さを変化させることで、確実にねじ具を介装させることができる。つまりスペーサ部材の汎用性を向上させることができるのである。
【図面の簡単な説明】
【図１】本発明の実施の形態の例を示す要部の側面断面図である。
【図２】同上の土台への床パン支持架台の配設を説明する斜視図である。
【図３】本発明の実施の形態の他例を示す要部の側面断面図である。
【図４】従来技術の例を示す要部の側面断面図である。
【図５】従来技術の他例を示す要部の側面断面図である。
【符号の説明】
１　床パン
２　床パン支持架台
３　土台
４　架台本体
５　立ち上がり片
６　土台載置片
７　傾斜部
８　スペーサ部材
８ａ　楔状部材
８ｂ　ねじ具
【図１】
2004060235.tif 000003
【図２】
2004060235.tif 000004
【図３】
2004060235.tif 000005
【図４】
2004060235.tif 000006
【図５】
2004060235.tif 000007